(57)【特許請求の範囲】
【請求項１】
スカート部と、スカート部の内部に配置されるボウル部と、スカート部の上部に接合されるリム部とに３分割された便器であって、
前記ボウル部の上端部は、リム部の内辺部の底部に接合する一方、
前記スカート部の内面に、ボウル部の裏面に沿うように突出するボウル支持リブを、スカート部の平面視において、スカート部の中心から放射状となるように複数個を一体形成して、この各ボウル支持リブとボウル部の裏面との間に制振材を配置して、ボウル支持リブで制振材を介してボウル部の裏面を支持するとともに、各ボウル支持リブの下端部は、便器の設置フロアに接するようにしたことを特徴とする便器。
【発明の詳細な説明】
【技術分野】
【０００１】
本発明は、３分割タイプの便器に関する。
【背景技術】
【０００２】
従来、図４（ａ）（ｂ）に示すように、スカート部１と、スカート部１の内部に配置されるボウル部２と、スカート部１の上部に接合されるリム部３とに３分割された合成樹脂製の便器がある（特許文献１参照）。
【０００３】
そして、図４（ｃ）に示すように、リム部３を上辺部３ａと内辺部３ｂとで形成して、スカート部１の上端部１ａをリム部３の上辺部３ａの下面に当接させて接合するとともに、ボウル部２の上端部２ａをリム部３の内辺部３ｂの底部３ｃに接合するものを本出願人が先に提案している。
【特許文献１】特許第３４３６００４号公報
【発明の開示】
【発明が解決しようとする課題】
【０００４】
ところで、前記のような３分割タイプの便器において、ボウル部の肉厚が薄いと、尿水等が当たりやすい部分が振動することで、当たり音が大きくなりやすいという問題があった。
【０００５】
本発明は、前記問題を解消するためになされたもので、尿水等が当たりやすい部分の振動を抑制して当たり音を減衰するように工夫した便器を提供することを目的とするものである。
【課題を解決するための手段】
【０００６】
前記課題を解決するために、本発明は、スカート部と、スカート部の内部に配置されるボウル部と、スカート部の上部に接合されるリム部とに３分割された便器であって、前記ボウル部の上端部は、リム部の内辺部の底部に接合する一方、前記スカート部の内面に、ボウル部の裏面に沿うように突出するボウル支持リブを、スカート部の平面視において、スカート部の中心から放射状となるように複数個を一体形成して、この各ボウル支持リブとボウル部の裏面との間に制振材を配置して、ボウル支持リブで制振材を介してボウル部の裏面を支持するとともに、各ボウル支持リブの下端部は、便器の設置フロアに接するようにしたことを特徴とする便器を提供するものである。
【発明の効果】
【０００９】
本発明によれば、スカート部の内面に、ボウル部の裏面に沿うように突出するボウル支持リブを形成し、このボウル支持リブとボウル部の裏面との間に制振材を配置して、ボウル支持リブで制振材を介してボウル部の裏面を支持するようにしたから、ボウル部の裏面の制振材の箇所が多重（多層）構造となって肉厚が厚くなるので、制振材の箇所をボウル部の表面（洗浄面）の後方側に設定すれば、尿水等が当たりやすい部分の振動が抑制されて当たり音を減衰できるようになる。
また、ボウル支持リブで制振材を介してボウル部の裏面を支持できるので、ボウル部に作用する垂直方向の衝撃荷重と水平方向の衝撃荷重とに対する耐衝撃性が向上するとともに、スカート部によるボウル部の支持がより安定して、接合時の位置ズレが発生しにくくなる。
さらに、各ボウル支持リブの下端部は、便器の設置フロアに接するようになるから、スカート部を便器の設置フロアに安定して置くことができ、スカート部が撓みにくくなるとともに、ボウル部の支持も安定するようになる。
【発明を実施するための最良の形態】
【００１０】
以下、本発明を実施するための最良の形態について、図面を参照しながら詳細に説明する。なお、背景技術と同一構成・作用の箇所は、同一番号を付して詳細な説明を省略する。
【００１１】
図１（ａ）は便器の側面断面図、図１（ｂ）はスカート部１のボウル支持リブ１ｃの要部斜視図、図２（ａ）はスカート部の平面図、図２（ｂ）は図２（ａ）のI−I線断面図、図２（ｃ）は図２（ｂ）のII−II線断面図である。
【００１２】
図１（ａ）において、スカート部１の内部にボウル部２が配置されるとともに、スカート部１の上部にリム部３が接合されている。このリム部３は、上辺部３ａと内辺部３ｂとで形成して、スカート部１の上端部１ａをリム部３の上辺部３ａの下面に当接させて接合するとともに、ボウル部２の上端部２ａをリム部３の内辺部３ｂの底部３ｃに接合している。
【００１３】
スカート部１の内面には、ボウル部２の裏面２ｂに沿うように突出するボウル支持リブ１ｃを一体形成している。このボウル支持リブ１ｃは、図２（ａ）〜（ｃ）のように、スカート部１の平面視において、例えばスカート部１の中心から放射状となるように複数個（本例では８個）を形成して、ボウル支持リブ１ｃの上縁部をボウル部２の裏面２ｂに沿う湾曲形状のボウル受け部１ｄに形成している。各ボウル支持リブ１ｃの下端部は、便器の設置フロアに接するようになる。これにより、スカート部１を便器の設置フロアに安定して置くことができ、スカート部１が撓みにくくなるとともに、ボウル部２の支持も安定するようになる。
【００１４】
図３（ａ）は制振材８を表示したスカート部の平面図、図３（ｂ）は図３（ａ）のIII−III線断面図、図３（ｃ）は図３（ｂ）のIV−IV線断面図であり、図３（ａ）（ｂ）に仮想線で輪郭とハッチングを示したように、ボウル部２の裏面側の少なくとも一部に制振材８を配置して、制振材８を介してボウル支持リブ１ｃでボウル部２の裏面２ｂを支持するようにしている。この制振材８は、ボウル部２の裏面２ｂ側の全面に配置する必要は無く、少なくともボウル部の貯水面（喫水面）Ｌの付近だけ、好ましくは、貯水面（喫水面）Ｌ以下に位置するように配置する。
【００１５】
このように、ボウル部２の裏面２ｂ側の少なくとも一部に制振材（例えばマグネシウム材）８を配置することにより、ボウル部２の裏面２ｂの制振材の箇所が多重（多層）構造となって肉厚が厚くなるので、制振材８の箇所をボウル部２の表面（洗浄面）の後方側に設定すれば、特に男性の尿水等〔図３（ｂ）の矢印ａ参照〕が当たりやすい部分の振動が抑制されて当たり音を減衰できるようになる。
【００１６】
また、スカート部１の内面のボウル支持リブ１ｃで制振材８を介してボウル部２の裏面２ｂを支持できるので、図１（ａ）のように、ボウル部２に作用する垂直方向の衝撃荷重Ｖと水平方向の衝撃荷重Ｈとに対する耐衝撃性が向上するとともに、スカート部１によるボウル部２の支持がより安定して、接合時の位置ズレが発生しにくくなる。
【００１７】
さらに、スカート部１の内面のボウル支持リブ１ｃに制振材８を配置することにより、制振材８でボウル部２の裏面全体を支持できるので、ボウル支持リブ１ｃによるボウル部２の支持がより安定するようになる。
【００１８】
さらに、制振材８を少なくともボウル部２の貯水面（喫水面）Ｌ以下の位置とすることにより、制振材８が保温性（若しくは断熱性）を有するタイプであれば、寒冷地における便器内の残水の凍結を防止することができる。
【００１９】
なお、ボウル部２の裏面側の少なくとも一部に制振材８を配置すれば良いことから、スカート部１の内面のボウル支持リブ１ｃは必ずしも必要では無く、ボウル支持リブ１ｃが無いタイプ等でも本発明が適用できることは言うまでもない。
【００２０】
制振材８は、合成樹脂製のボウル部２にインサートモールドすることが好ましい。このようにすれば、貼り付けの手間を省くことができる。
【００２１】
制振材８を例えばマグネシウム材（金属材）とすることにより、耐衝撃性がより向上するようになる。
【００２２】
また、マグネシウム制振材８をチクソーモールドにより成形することにより、ボウル部２の裏面２ｂに隙間無く密着するような３次元形状で成形できるようになるので、より制振性が向上するようになる。
【００２３】
前記実施形態において、便器は、スカート部１とボウル部２とリム部３とに少なくとも３分割された合成樹脂製の成形品であり、これらを溶着により接合して一体化した構造である。成形方法としては、射出成形、圧縮成形、真空成形等がある。成形材料としては、比較的強度があるアクリル系樹脂、補強材入りＡＢＳやＰＢＴ等を使用することができる。なお、ボウル部２は、陶器製や金属製であって可能である。
【図面の簡単な説明】
【００２４】
【図１】本発明の実施形態に係る便器であり、（ａ）は側面断面図、（ｂ）はスカート部のボウル支持リブの要部斜視図である。
【図２】（ａ）はスカート部の平面図、（ｂ）は（ａ）のI−I線断面図、（ｃ）は（ｂ）のII−II線断面図である。
【図３】（ａ）は別実施形態のスカート部の平面図、（ｂ）は（ａ）のIII−III線断面図、（ｃ）は（ｂ）のIV−IV線断面図である。
【図４】従来の便器であり、（ａ）は分解斜視図、（ｂ）は斜視図、（ｃ）は側面断面図である。
【符号の説明】
【００２５】
１    スカート部
１ｃ  ボウル支持リブ
１ｄ  ボウル受け部
２    ボウル部
２ｂ  裏面
３    リム部
８    制振材
【図１】
0004687529.tif 000002
【図２】
0004687529.tif 000003
【図３】
0004687529.tif 000004
【図４】
0004687529.tif 000005